(57)【特許請求の範囲】
【請求項１】
開口部を開放及び閉鎖する開閉体手段と、
前記開閉体手段の閉鎖側先端部に設けられ、障害物検知時に検知信号を電波無線方式にて送信する障害物検知手段と、
前記障害物検知手段から前記検知信号を受信する検知信号受信手段と、
前記障害物検知手段から受信した前記検知信号のレベルを視認可能に表示するレベル表示手段と、
前記検知信号と同じ周波数帯であって前記検知信号とは異なる妨害電波信号を前記検知信号受信手段が受信している状態にあるか否かを監視し、前記妨害電波信号を受信中の状態にあると判断した場合、異常環境にあるとして視覚的及び／又は音声的に報知すると共に前記開閉体手段の動作に制限を掛ける電波監視制御手段とを備えた開閉体装置であって、
前記電波監視制御手段は、前記妨害電波信号を受信中の場合は、操作スイッチの操作に対応した前記開閉体手段の開閉の各動作を、前記操作スイッチが押し切り操作されている時だけ実行し、
前記妨害電波信号を受信中に防災信号を受信した場合は、第１の所定時間を経過するまで、閉動作を実行せず、前記第１の所定時間経過後に閉動作と停止動作を交互に実行し、
前記開閉体手段の閉動作中に前記妨害電波信号を受信した場合は、前記開閉体手段の閉動作を第２の所定時間が経過するまで一旦停止し、前記第２の所定時間経過後に閉動作と停止動作を交互に実行し、前記妨害電波信号を受信しなくなった時点で前記閉動作を再開することを特徴とする開閉体装置。
【請求項２】
請求項１に記載の開閉体装置において、
前記レベル表示手段は、前記検知信号受信手段に設けられたＬＥＤ発光素子及び／又は液晶表示素子で構成されることを特徴とする開閉体装置。
【請求項３】
請求項１に記載の開閉体装置において、
前記レベル表示手段は、前記開口部周辺の壁面、注意喚起灯及び防火戸側面の少なくとも１箇所に設けられたＬＥＤ発光素子及び／又は液晶表示素子で構成されることを特徴とする開閉体装置。
【請求項４】
請求項１に記載の開閉体装置において、
前記レベル表示手段は、前記開閉体手段に前記開放及び閉鎖に関する操作信号を出力する操作手段に設けられたＬＥＤ発光素子及び／又は液晶表示素子で構成されることを特徴とする開閉体装置。
【請求項５】
請求項２、３又は４に記載の開閉体装置において、
前記レベル表示手段は、前記検知信号のレベルに対応して、前記ＬＥＤ発光素子の点灯又は点滅の状態を変化させることによって、前記検知信号のレベルを視認可能に表示することを特徴とする開閉体装置。
【請求項６】
請求項５に記載の開閉体装置において、
前記ＬＥＤ発光素子の点灯又は点滅の状態として、点灯若しくは点滅の回数、点灯若しくは点滅の時間、及び／又は点灯若しくは点滅時の発光強度を変化させることを特徴とする開閉体装置。
【請求項７】
請求項１から６までのいずれか１に記載の開閉体装置において、
前記検知信号と同じ周波数帯であって前記検知信号とは異なる妨害電波信号を前記電波無線方式にて受信した場合、その受信した日時に関する情報を表示する表示手段を備えたことを特徴とする開閉体装置。
【請求項８】
開口部を開放及び閉鎖する開閉体手段の閉鎖側先端部に設けられた障害物検知手段から電波無線方式にて検知信号が検知信号受信手段に送信された場合に、前記障害物検知手段から受信した前記検知信号のレベルを視認可能に表示し、前記検知信号と同じ周波数帯であって前記検知信号とは異なる妨害電波信号を前記検知信号受信手段が受信している状態にあるか否かを監視し、前記妨害電波信号を受信中の状態にある場合は、異常環境にあるとして視覚的及び／又は音声的に報知すると共に前記開閉体手段の動作に制限を掛ける受信感度表示方法であって、
前記妨害電波信号を受信中の場合は、操作スイッチの操作に対応した前記開閉体手段の開閉の各動作を、前記操作スイッチが押し切り操作されている時だけ実行し、
前記妨害電波信号を受信中に防災信号を受信した場合は、第１の所定時間を経過するまで、閉動作を実行せず、前記第１の所定時間経過後に閉動作と停止動作を交互に実行し、
前記開閉体手段の閉動作中に前記妨害電波信号を受信した場合は、前記開閉体手段の閉動作を第２の所定時間が経過するまで一旦停止し、前記第２の所定時間経過後に閉動作と停止動作を交互に実行し、前記妨害電波信号を受信しなくなった時点で前記閉動作を再開することを特徴とする受信感度表示方法。
【請求項９】
請求項８に記載の受信感度表示方法において、
前記検知信号受信手段に設けられたＬＥＤ発光素子及び／又は液晶表示素子を用いて前記検知信号のレベルを視認可能に表示することを特徴とする受信感度表示方法。
【請求項１０】
請求項８に記載の受信感度表示方法において、
前記開口部周辺の壁面、注意喚起灯及び防火戸側面の少なくとも１箇所に設けられたＬＥＤ発光素子及び／又は液晶表示素子を用いて前記検知信号のレベルを視認可能に表示することを特徴とする受信感度表示方法。
【請求項１１】
請求項８に記載の受信感度表示方法において、
前記開閉体手段に前記開放及び閉鎖に関する操作信号を出力する操作手段に設けられたＬＥＤ発光素子及び／又は液晶表示素子を用いて前記検知信号のレベルを視認可能に表示することを特徴とする受信感度表示方法。
【請求項１２】
請求項９、１０又は１１に記載の受信感度表示方法において、
前記検知信号のレベルに対応して、前記ＬＥＤ発光素子の点灯又は点滅の状態を変化させることによって、前記検知信号のレベルを視認可能に表示することを特徴とする受信感度表示方法。
【請求項１３】
請求項１２に記載の受信感度表示方法において、
前記ＬＥＤ発光素子の点灯又は点滅の状態として、点灯若しくは点滅の回数、点灯若しくは点滅の時間、及び／又は点灯若しくは点滅時の発光強度を変化させることを特徴とする受信感度表示方法。
【請求項１４】
請求項８から１３までのいずれか１に記載の受信感度表示方法において、
前記検知信号と同じ周波数帯であって前記検知信号とは異なる妨害電波信号を前記電波無線方式にて受信した場合、その受信した日時に関する情報を表示することを特徴とする受信感度表示方法。
【発明の詳細な説明】
【技術分野】
【０００１】
本発明は、家屋、ビル、工場、倉庫などの建物を含む構造物躯体の出入口や開口部に設置される開閉体装置に係り、特に障害物検知装置の検知信号を無線にて送信する開閉体装置及び受信感度表示方法に関する。
【背景技術】
【０００２】
ビル、工場、倉庫などの建物を含む構造物躯体の開口部に設置されたシャッターカーテンやドアなどの開閉体装置には、その開閉動作を電動で行う電動シャッターや電動ドアが使用されることが多い。このように電動で開閉動作を行うものは、近年その動作を遠隔操作によって制御するための無線方式の無線リモコン送信装置を備えるものがある。これは無線方式にすることによって従来行っていた有線による制御が原因の電気的な問題を低減させることが大きい。
【０００３】
無線方式は、電波、赤外線、超音波、あるいは、フラッシュ等のいずれかを搬送媒体として、操作信号を送受信して、制御装置に信号を送り、電動シャッターの開閉機を作動させている。シャッターカーテンを電動で作動させるものにおいては、巻き降ろしの際に障害物があると、それと接触してシャッターカーテンに不具合が発生する可能性もある。
【０００４】
これら障害物に対する対応として、一般的にはシャッターの座板部に障害物検知器を設け、何らかの障害物等を検知した場合に、シャッターカーテンの降下を停止させるなど一定の回避動作を行うようにしている。座板部に設けられた障害物検知器からの検知信号を制御装置に送る方法として、有線方式の他に赤外線等の無線信号を用いている。
【０００５】
障害物検知器からの検知信号を無線方式にて制御装置に送信するものとしては、特許文献１，２に示すものが知られている。
特許文献１に記載のものは、シャッター開閉操作と障害物検知動作のいずれも無線通信で行うようにしたものである。
特許文献２に記載のものは、障害物の検知の送受に無線電波を用い、これを安定して行えるようにしたものである。
【特許文献１】特開平１０−０６１３５４号公報
【特許文献２】特開平０９−３１７３５８号公報
【発明の開示】
【発明が解決しようとする課題】
【０００６】
特許文献１に記載のものは、障害物検知信号と操作信号を同じ受信装置で受信している。しかしながら、これらは、違法無線やアーク溶接などの強力な電磁波による影響を受け易い。つまり、従来１種類の搬送媒体で信号の受信を行っていたが特許文献１では２種類の以上の搬送媒体を用いて信号の受信を行うようにしたものである。
また、特許文献２に記載のものは、障害物検知信号の送信周波数をこの検知信号の送信中に所定の周波数範囲で変化させることによって、検知信号の受信を安定して行えるようにしている。
【０００７】
ところで、一旦設置された建物構造物躯体内におけるシャッターカーテンの周辺環境は施工時と実際の稼働時とで変化する場合が多々ある。例えば、シャッターカーテンの近傍に電子機器或いは金属製の家具や事務用品などが設置されてしまった場合、これらの電子機器、家具、事務用品などが障害物検知装置から発せられる信号に干渉して、その送信信号レベルを減衰させてしまう可能性がある。
仮に送信信号レベルが減衰してしまった場合には障害物検知装置における検知状態に支障をきたし、シャッターカーテンの開閉動作時における障害物回避動作の誤作動に繋がる可能性もある。そのためシャッターカーテンが設置された躯体管理現場では施工後のシャッター運用時に常に信号の受信レベルを目視で確認（視認）したいとの要求が強かった。
これに対して特許文献１に記載のものは、電動シャッターの設置空間に操作信号、障害物検知信号以外の飛び交う種々の信号を受信装置が受信してしまった場合には誤動作を発生させてしまう恐れがあるため２種類の搬送媒体（例えば電波と赤外線等）を使用する旨の記載はあるが、受信装置の受信状態（レベル）を視認可能として上述のような誤動作を未然に防ぐことについては一切その記載がない。
また、特許文献２には、シャッターカーテンの開閉高さ位置等により環境条件が変化した場合に生じる電波の減衰を防止する旨の記載はあるものの、特許文献１と同様に受信状態（レベル）を視認可能とすることに関しては一切その記載がない。従って、電波無線方式にて送信する障害物検知信号の信頼性を簡易な方法で向上することができていなかったのが現状である。
【０００８】
本発明は、上述の点に鑑みてなされたものであり、電波無線方式にて送信する障害物検知信号の信頼性を向上することができる開閉体装置及び受信感度表示方法を提供することにある。
【課題を解決するための手段】
【０００９】
本発明に係る開閉体装置の第１の特徴は、開口部を開放及び閉鎖する開閉体手段と、前記開閉体手段の閉鎖側先端部に設けられ、障害物検知時に検知信号を電波無線方式にて送信する障害物検知手段と、前記障害物検知手段から前記検知信号を受信する検知信号受信手段と、前記障害物検知手段から受信した前記検知信号のレベルを視認可能に表示するレベル表示手段とを備えたことにある。
開閉体手段は、ビル、住宅、工場、倉庫等の建物などの構築・構造物における、出入口や窓部、あるいは内部の通路や空間などの開口部などを開閉移動するシャッターカーテンなどの部材で構成される。開閉体手段がシャッターカーテンの場合には、例えば、建物などの開口部の上部に収納され、まぐさなどを介してシャッターカーテンが下降し、開口部を閉鎖する。これ以外にも開閉体手段が開口部の側部に収納され横引き方式で開閉移動したり、開口部の下部に収納され上昇方式で開閉移動したりするものもある。また、開閉体手段には、閉鎖によって開口部を全閉できるものも全閉できないものも含む。
障害物検知手段は、この開閉体手段の閉鎖側先端部に設けられ、開閉体手段と共に移動するものであり、例えば、閉動作中の移動経路上に障害物が存在することを検出する。障害物検知手段は、検知信号を電波無線方式にて開閉体手段の収納ボックス等に設けられた開閉体制御手段に送信する。障害物検知手段からの検知信号を受信した開閉体制御手段は、検知信号に応じて障害物回避動作等を行なう。ところが、開閉体の近傍に電子機器或いは金属製ロッカー等が設置された場合、障害物検知手段からの信号が弱くなってしまい誤動作を誘発させてしまう可能性がある。
この発明では、障害物検知手段から受信した検知信号の受信感度レベルを視認可能に表示するようにした。これによって、作業者は、レベル表示手段の検知信号のレベルを目視しながら、検知信号受信手段をシャッターケース内で種々移動させ、その受信した検知信号の強度レベルが最も強い位置を選択して配置することができるようになり、作業者の大幅な作業軽減を図ることができる。
【００１０】
本発明に係る開閉体装置の第２の特徴は、前記第１の特徴に記載の開閉体装置において、前記レベル表示手段は、前記検知信号受信手段に設けられたＬＥＤ発光素子及び／又は液晶表示素子で構成されることにある。
これは、レベル表示手段を検知信号受信手段に直接設けるようにしたものである。これによって、信号レベルを目視しながら検知信号受信手段を最適な箇所に設置することができる。
【００１１】
本発明に係る開閉体装置の第３の特徴は、前記第１の特徴に記載の開閉体装置において、前記レベル表示手段は、前記開口部周辺の壁面、注意喚起灯及び防火戸側面の少なくとも１箇所に設けられたＬＥＤ発光素子及び／又は液晶表示素子で構成されることにある。
これは、レベル表示手段を開閉体手段によって開放及び閉鎖される開口部近傍の壁面、天井部に設けられる注意喚起灯、及び／又は防火戸の側面などに設けるようにしたものである。このようにレベル表示手段を壁面、注意喚起灯、防火戸などの見やすい位置に取り付けることによって、信号レベルを容易に視認することができる。
【００１２】
本発明に係る開閉体装置の第４の特徴は、前記第１の特徴に記載の開閉体装置において、前記レベル表示手段は、前記開閉体手段に前記開放及び閉鎖に関する操作信号を出力する操作手段に設けられたＬＥＤ発光素子及び／又は液晶表示素子で構成されることにある。
これは、レベル表示手段を開閉体手段の開閉停の操作信号を出力する操作手段に設けるようにしたものである。操作手段は、壁面に設けられるものやリモコン装置スイッチなどが対応する。開閉体手段の開閉操作時に常時使用する操作手段に信号レベルが表示されるようになるので、手元で容易に確認することができる。
【００１３】
本発明に係る開閉体装置の第５の特徴は、前記第２、第３又は第４の特徴に記載の開閉体装置において、前記レベル表示手段は、前記検知信号のレベルに対応して、前記ＬＥＤ発光素子の点灯又は点滅の状態を変化させることによって、前記検知信号のレベルを視認可能に表示することにある。
これは、検知信号のレベルを、ＬＥＤ発光素子の点灯又は点滅の状態を変化させることによって視認可能に表示
するようにしたものである。例えば、ＬＥＤ発光素子が単体の場合は、点灯若しくは点滅の回数、点灯若しくは点滅の時間、及び／又は点灯若しくは点滅時の発光強度を変化させることで対応可能となる。また、ＬＥＤ発光素子が複数の場合は、これらの態様に加えて発光色や発光体形状などを種々変化させることで多様なレベル表示を可能とすることができる。
【００１４】
本発明に係る開閉体装置の第６の特徴は、前記第５の特徴に記載の開閉体装置において、前記ＬＥＤ発光素子の点灯又は点滅の状態として、点灯若しくは点滅の回数、点灯若しくは点滅の時間、及び／又は点灯若しくは点滅時の発光強度を変化させることにある。
これは、ＬＥＤ発光素子が単体の場合に該当し、点灯若しくは点滅の回数、点灯若しくは点滅の時間、及び／又は点灯若しくは点滅時の発光強度などを種々変化させることで多様なレベル表示を可能としたものである。
【００１５】
本発明に係る開閉体装置の第７の特徴は、前記第１から第６までのいずれか１の特徴に記載の開閉体装置において、前記検知信号と同じ周波数帯の異なる妨害電波信号を前記電波無線方式にて受信した場合、その受信した日時に関する情報を表示する表示手段を備えたことにある。
これは、妨害電波信号を受信した日時に関する情報を記憶しておくことによって、後でＰＣと接続して出力、又は外部メモリ等へ出力し、妨害電波信号の発生時間等の情報に基づいて、どこからどの機器から妨害電波が発生しているのかを追跡する際に役立てることができるようにしたものである。例えば、特定の時間に妨害電波信号が発生している場合には、その時間に可動する機器等から妨害電波信号が発生していることが容易に分かるので、その機器等を特定し易くなるという効果がある。
【００１６】
本発明に係る受信感度表示方法の第１の特徴は、開口部を開放及び閉鎖する開閉体手段の閉鎖側先端部に設けられた障害物検知手段から電波無線方式にて検知信号が検知信号受信手段に送信された場合に、前記障害物検知手段から受信した前記検知信号のレベルを視認可能に表示することにある。
これは、前記開閉体装置の第１の特徴に対応した受信感度表示方法の発明である。
【００１７】
本発明に係る受信感度表示方法の第２の特徴は、前記第１の特徴に記載の受信感度表示方法において、前記検知信号受信手段に設けられたＬＥＤ発光素子及び／又は液晶表示素子を用いて前記検知信号のレベルを視認可能に表示することにある。
これは、前記開閉体装置の第２の特徴に対応した受信感度表示方法の発明である。
【００１８】
本発明に係る受信感度表示方法の第３の特徴は、前記第１の特徴に記載の受信感度表示方法において、前記開口部周辺の壁面、注意喚起灯及び防火戸側面の少なくとも１箇所に設けられたＬＥＤ発光素子及び／又は液晶表示素子を用いて前記検知信号のレベルを視認可能に表示することにある。
これは、前記開閉体装置の第３の特徴に対応した受信感度表示方法の発明である。
【００１９】
本発明に係る受信感度表示方法の第４の特徴は、前記第１の特徴に記載の受信感度表示方法において、前記開閉体手段に前記開放及び閉鎖に関する操作信号を出力する操作手段に設けられたＬＥＤ発光素子及び／又は液晶表示素子を用いて前記検知信号のレベルを視認可能に表示することにある。
これは、前記開閉体装置の第４の特徴に対応した受信感度表示方法の発明である。
【００２０】
本発明に係る受信感度表示方法の第５の特徴は、前記第２、第３又は第４の特徴に記載の受信感度表示方法において、前記検知信号のレベルに対応して、前記ＬＥＤ発光素子の点灯又は点滅の状態を変化させることによって、前記検知信号のレベルを視認可能に表示することにある。
これは、前記開閉体装置の第５の特徴に対応した受信感度表示方法の発明である。
【００２１】
本発明に係る受信感度表示方法の第６の特徴は、前記第５の特徴に記載の受信感度表示方法において、前記ＬＥＤ発光素子の点灯又は点滅の状態として、点灯若しくは点滅の回数、点灯若しくは点滅の時間、及び／又は点灯若しくは点滅時の発光強度を変化させることにある。
これは、前記開閉体装置の第６の特徴に対応した受信感度表示方法の発明である。
【００２２】
本発明に係る受信感度表示方法の第７の特徴は、前記第１から第６までのいずれか１の特徴に記載の受信感度表示方法において、前記検知信号と同じ周波数帯の異なる妨害電波信号を前記電波無線方式にて受信した場合、その受信した日時に関する情報を表示することにある。
これは、前記開閉体装置の第７の特徴に対応した受信感度表示方法の発明である。
【発明の効果】
【００２３】
本発明の開閉体装置によれば、障害物検知信号の受信状態を容易に視認することができるので、電波無線方式にて送信する障害物検知信号の信頼性を向上することができ、誤動作の要因を排除して迅速な対応を行うことができるという効果がある。
【図面の簡単な説明】
【００２４】
【図１】本発明に係るシャッター装置の概略構成を示す図である。
【図２】図１の電波監視制御部及び開閉体制御装置が実行する電波監視処理の一例を示すフローチャート図である。
【図３】本発明の実施の形態に係るシャッター装置を備えた建物内部の概要を示す斜視図である。
【図４】受信感度別動作仕様と受信感度表示のタイムチャートを示す図である。
【図５】検知信号受信機が実行する図４の受信感度別動作仕様及びタイムチャートに対応した受信感度判定処理の一例を示すフローチャート図である。
【図６】この実施の形態の変形例を示す図である。
【発明を実施するための形態】
【００２５】
以下添付図面に従って本発明に係る開閉体装置の好ましい実施の形態について説明する。この実施の形態では開閉体として上下に開閉（昇降）制御されるシャッター装置を例に説明する。開閉体の閉鎖方向は、通常の下降で閉鎖のみではなく、上昇で閉鎖であってもよい。本実施の形態では、上方からの下降が閉鎖方向である場合を例に説明する。
【００２６】
図１は、本発明に係るシャッター装置の概略構成を示す図である。このシャッター装置は、建物の開口部に設けられるものであり、基本的にシャッターケース１１、シャッターカーテン１２、ガイドレール１３，１４、モータ１５、シャッター駆動回路１６、開閉体制御装置１７、操作信号受信機１８、検知信号受信機２０、電波監視制御部２２、リモコン操作スイッチ３０、障害物検知器４０などから構成される。これ以外の巻取シャフトやチェーンなどについては図示を省略してある。
【００２７】
ガイドレール１３，１４は、シャッターカーテン１２の両端部に接するように建物の開口部の両端側に設けられ、まぐさ部から床面まで掛け渡された断面形状がコの字型の案内溝を有する金属製部材で構成されている。シャッターカーテン１２は、このガイドレール１３，１４の各案内溝に沿って上昇下降し、開口部の開閉動作を行う。図示していない巻取りシャフトは、開口部の上方に位置しているシャッターケース１１の両端側に回動可能に設けられ、シャッターカーテン１２を巻き取ったり巻き戻したりする。図示していないチェーンは、モータ１５の回転軸に設けられた主動スプロケットと巻取りシャフトの回転軸に設けられた従動スプロケットとを連結している。従って、モータ１５の回転駆動力はチェーンを介して巻取りシャフト側に伝達され、モータ１５が回転すると、チェーンを介して巻取りシャフトが回転し、シャッターカーテン１２の開閉動作が制御されるようになっている。
【００２８】
シャッター駆動回路１６は、マイクロコンピュータによって構成されており、図示していない電源ラインを介して電力が供給されている。シャッター駆動回路１６は、開閉体制御装置１７からの制御信号に基づいて、モータ１５の回転を制御する。開閉体制御装置１７は、リモコン操作スイッチ３０からの制御信号すなわち制御電波信号を受信するリモコン用アンテナ１９を備えた操作信号受信機１８と、障害物検知器４０からの検知信号すなわち検知電波信号を受信する検知用アンテナ２１を備えた検知信号受信機２０にそれぞれ接続されており、リモコン操作スイッチ３０の各操作ボタンの操作状態に対応した制御信号及び障害物検知器４０の検知状態を示す検知信号をシャッター駆動回路１６に出力する。
【００２９】
リモコン操作スイッチ３０は、開ボタン、停止ボタン、閉ボタンを備えたシャッター装置専用の無線方式の操作子である。なお、操作スイッチは壁面などに設けられた有線方式の操作子でもよい。障害物検知器４０は、シャッターカーテン１２の座板部に設けられており、障害物を検知した場合、電磁波の検知信号を発振（送信）する。
【００３０】
検知信号受信機２０は、検知用アンテナ２１を介して障害物検知器４０からの電磁波の検知信号を受信し、それに応じて開閉体制御装置１７にその検知信号を出力して、シャッター駆動回路１６を制御してモータ１５の回転、すなわちシャッターカーテン１２の上昇下降時の制御を実行する。また、検知信号受信機２０は、レベル表示装置２３を備えている。このレベル表示装置２３は、ＬＥＤ発光素子などからなり、一例として、障害物検知器４０から発せられる信号の受信感度レベルをＬＥＤの発行回数で表示するものである。レベル表示装置２３の詳細については後述する。
【００３１】
電波監視制御部２２は、操作信号受信機１８及び検知信号受信機２０に入力した信号を随時取り込み、その信号に含まれる暗号コード信号を用いて、誤作動を防止している。また、電波監視制御部２２は、リモコン操作スイッチ３０、障害物検知器４０などの送信器を判別するための固有のコード信号と、シャッターカーテンの動作に対応したコード信号とを受信することによって、作動の確実性を担保し、その誤作動を防止している。しかしながら、操作信号及び検知信号の搬送媒体として電波を用いているので、シャッター装置の周辺空間に飛び交っている種々の電波、例えば、違法無線やアーク溶接などの強力な電磁波により、偶然に誤動作してしまうおそれがある。
【００３２】
すなわち、電波監視制御部２２は、操作信号受信機１８及び検知信号受信機２０に入力した信号がリモコン操作スイッチ３０及び障害物検知器４０からの適切な信号なのか、その他の異常な信号（妨害電波信号）なのかを判断し、異常な信号（妨害電波信号）を受信した場合は、異常環境としてブザー鳴動やランプ、文言等の表示による報知及び動作制限を掛けることで、電波環境として異常な状態でシャッターを通常動作させないようにしている。ここでの妨害電波とは、障害物検知器４０から送信される検知信号と同じ周波数帯の信号であるが、固有のコード信号を有さないものである。このような妨害電波を受信している間は、適切な検知信号が送信された場合にその検知信号を受信することが難しくなるからである。
【００３３】
図２は、図１の電波監視制御部２２及び開閉体制御装置１７が実行する電波監視処理の一例を示すフローチャート図である。以下、このフローチャートを用いて電波監視制御部２２及び開閉体制御装置１７の動作の一例を説明する。
【００３４】
ステップＳ２０では、図１に示した検知用アンテナ２１を介して受信した電波が妨害電波信号であるか否かの判定を行い、妨害電波信号でない（ｎｏ）場合はステップＳ２１に進み、妨害電波信号である（ｙｅｓ）場合はステップＳ２３に進む。ここで、妨害電波であるか否かの判定は、検知用アンテナ２１を介して受信した電波が所定の規定値（コード判定可能レベル）を超えており、かつ、それが障害物検知器４０の発信周波数帯と同じであり、さらに、送信器判別用の固有コードと一致するか否かを判定し、これら全ての条件に一致する場合は、妨害電波信号がないと判定し、これらの少なくとも１つの条件が満たされない場合は妨害電波信号であると判定する。
【００３５】
ステップＳ２１では、前のステップＳ２０で受信した電波が妨害電波信号ではなく正規の信号であると判定されたので、異常環境フラグをリセットする。この異常環境フラグは、検知用アンテナ２１を介して受信中の電波が妨害電波信号であり、異常環境状態にあることを示すものである。
ステップＳ２２では、現在異常環境状態ではないので、リモコン操作スイッチ３０の操作に対応した開閉体の開閉停の各動作及び防災信号入力時の自重閉鎖（降下）動作を行うことのできる通常状態とする。通常状態にある開閉体装置は、リモコン操作スイッチ３０を用いて電動で開閉停の操作や防災信号入力時に自重で降下する自動閉鎖装置の作動が有効な状態となる。
【００３６】
ステップＳ２３では、検知用アンテナ２１を介して受信中の電波が妨害電波信号であると判定されたので、現在のシャッターカーテン１２の動作状態が停止中なのか否かを判定し、停止中（ｙｅｓ）の場合はステップＳ２４に進み、停止中でない昇降中の場合はステップＳ３１に進む。
ステップＳ２４では、現在妨害電波受信中であることを示すために、視覚的及び／又は音声的に異常環境下にあることを報知すると共に押し切り動作可能とする。すなわち、妨害電波受信中ではあるが、リモコン操作スイッチ３０にて操作する場合にはその操作ボタンを押し切りすることによって閉鎖動作を可能とする。これは、リモコン操作スイッチ３０の操作者がシャッターカーテン１２の近くで安全を確認しながら操作することができるようにするためである。
【００３７】
なお、押し切り動作とは、操作ボタンを押しているときだけ、その操作ボタンに相応する動作を行うことである。妨害電波受信中の状態であるが、リモコン操作スイッチ３０にて操作して、この操作による電波およびその内容が正常であると制御部が認識できた場合には押し切り動作を行う。なお、妨害電波受信中の状態であると、リモコン操作スイッチ３０の操作も正常に制御部に伝達されないおそれがあるので、より確実に押し切り動作を行わせるためには、リモコン操作スイッチ３０と同等の指示機能を有するスイッチを設け、有線にて制御部に伝達することが好ましい。
【００３８】
ステップＳ２５では、防災信号が入力したか否かを判定し、入力した（ｙｅｓ）場合はステップＳ２６に進み、そうでない（ｎｏ）場合はリターンする。
ステップＳ２６では、妨害電波信号の受信中に防災信号を入力したが、直ちに自重降下できないようにする。すなわち、検知用アンテナ２１を介して受信中の電波が妨害電波信である場合は、障害物検知器４０が検知信号を発信してもそれを受信することが難しくなるからである。なお、閉鎖を優先して直ちに自重降下するようにしてもよい。
【００３９】
ステップＳ２７では、妨害電波信号の受信状態が継続しているか否かを判定し、継続している（ｙｅｓ）場合はステップＳ２８に進み、継続していない場合はステップＳ３８に進む。
ステップＳ２８では、検知用アンテナ２１を介して妨害電波を受信している状態になってから所定時間Ｔ１を経過したか否かを判定し、経過した（ｙｅｓ）場合はステップＳ２９に進み、経過していない（ｎｏ）場合はステップＳ２６に戻り、所定時間Ｔ１を経過するまで、自重降下できないようにする。ここで、所定時間Ｔ１は、例えば３０秒とする。
【００４０】
ステップＳ２９では、検知用アンテナ２１を介して妨害電波信号を受信している状態になってから所定時間Ｔ１を経過したので、例えば５秒降下動作を行い、１０秒停止動作を行い、その後にまた５秒降下動作を行うというように、降下動作と停止動作を繰り返しながら安全にシャッターカーテン１２を降下させて開口部閉鎖する降下処理を実行する。
ステップＳ３０では、異常環境フラグに『１』をセットし、現在異常環境状態にあることを示すと共に妨害電波信号を受信した日時の情報を記録してリターンする。この日時の情報には、妨害電波信号の受信を開始した日時及び／又は終了した日時を記録することが好ましい。
【００４１】
ステップＳ３１では、前のステップＳ２３でシャッター停止中でないと判定されたので、シャッター降下中か否かを判定し、降下中（ｙｅｓ）の場合はステップＳ３２に進み、そうでない上昇中（ｎｏ）の場合は、障害物検知器４０から検知信号が入力しなくても上昇動作に影響はないので、ここではなにも処理せずにリターンする。
ステップＳ３２では、異常環境フラグに『１』がセットされているか否かを判定し、セットされている（ｙｅｓ）場合は、前述のステップＳ３０又は後述するステップＳ３７の処理にて異常環境フラグがセットされ、異常環境状態における降下処理中であることを意味するので、直ちにリターンし、セットされていない（ｎｏ）場合は、ステップＳ３３に進む。
【００４２】
ステップＳ３３では、異常環境フラグがセットされていないと判定されたので、リモコン操作スイッチ３０の操作による通常の閉鎖（降下）動作中、又は防災信号の入力による自重降下中に、検知用アンテナ２１を介して妨害電波信号を受信したことを意味するので、閉鎖（降下）動作を一旦停止する。
ステップＳ３４では、妨害電波信号の受信状態が継続しているか否かを判定し、継続している（ｙｅｓ）場合はステップＳ３５に進み、継続していない場合はステップＳ３８に進む。
【００４３】
ステップＳ３５では、検知用アンテナ２１を介して妨害電波信号を受信している状態になってから所定時間Ｔ２を経過したか否かを判定し、経過した（ｙｅｓ）場合はステップＳ３６に進み、経過していない（ｎｏ）場合はステップＳ３３に戻り、所定時間Ｔ１を経過するまで、閉鎖（降下）動作を停止させる。ここで、所定時間Ｔ２は、上述の所定時間Ｔ１と同じ時間、例えば３０秒としてもよいし、閉鎖（降下）動作中なので、例えば１０〜２０秒と所定時間Ｔ１よりも小さな値としてもよい。
【００４４】
ステップＳ３６では、検知用アンテナ２１を介して妨害電波信号を受信している状態になってから所定時間Ｔ２を経過したので、例えば５秒降下動作を行い、１０秒停止動作を行い、その後にまた５秒降下動作を行うというように、降下動作と停止動作を繰り返しながら安全にシャッターカーテン１２を降下させて開口部閉鎖する降下処理を実行する。
ステップＳ３７では、異常環境フラグに『１』をセットし、現在異常環境状態にあることを示すと共に妨害電波信号を受信した日時の情報を記録してリターンする。この日時の情報には、妨害電波信号の受信を開始した日時及び／又は終了した日時を記録することが好ましい。
【００４５】
ステップＳ３８では、ステップＳ２７で妨害電波信号の受信状態が継続していないと判定されたということは、防災信号の入力に応じて自重降下処理を開始できなかったことを意味するので、妨害電波信号がなくなり次第に自重降下動作を再開させるための処理を行うと共にステップＳ３４で妨害電波信号の受信状態が継続していないと判定されたということは、閉鎖（降下）動作中にその降下動作を一旦停止させたことを意味するので、妨害電波信号がなくなり次第に閉鎖（降下）動作を再開させるための処理を行う。なお、ステップＳ２３における停止中の判定には、ステップＳ２９及びステップＳ３６の停止動作を含まないものとする。
【００４６】
図３は、本発明の実施の形態に係るシャッター装置を備えた建物内部の概要を示す斜視図である。図３では、図１のシャッター装置に並んで防火区画を形成するための防火戸５０が設けられている。防火戸５０には、避難等のために通過可能な潜り戸が設けられている。この実施の形態では、防火戸５０の上側側面（図では前面）に検知信号受信機２０からの受信感度レベルを表示するレベル表示装置２３が取り付けられている。一般的に検知信号受信機２０は壁面内或いはシャッターカーテン１２が巻き取られるシャッターケース１１内に収納されているが、この実施の形態では、レベル表示装置２３を防火戸５０の上部の壁面に取り付けることによって、常時視認可能としてある。なお、レベル表示装置２３を防火戸５０の裏面（図では後面）に設けてもよい。
【００４７】
また、注意喚起灯６０、は上部天井面に取り付けられており、シャッターカーテン１２の昇降時に作動して、作動中であることを報知するものである。一般的に、この注意喚起灯６０は、シャッターカーテン１２が昇降するときに赤色灯が回転して警告している。そこで、この実施の形態では、注意喚起灯６０の側面に検知信号受信機２０からの受信感度レベルを表示するレベル表示装置６１を設けている。なお、注意喚起灯６０の側面にレベル表示装置６１を設ける場合には、レベル表示装置２３は検知信号受信機２０と同じ壁面内又はシャッターケース１１内に設け、施工時又はメンテナンス時に視認できるようにしても良い。注意喚起灯６０は、一般的にはシャッターカーテン１２との組み合わせで設置されるものなので、別途レベル表示装置２３を壁面や防火戸側面に取り付ける必要もなく容易に実現することができる。
【００４８】
図４は、受信感度別動作仕様と受信感度表示のタイムチャートを示す図である。
この受信感度別動作仕樣では、横軸に障害物検知器４０から発せられる信号の受信感度レベルの一例を示す。検知信号受信機２０は、受信感度レベルが−７０［ｄＢｍ］以上の場合は、実用に最適な感度「強」と判定し、それに伴ってレベル表示装置２３のＬＥＤを連続的に３回点灯させる。検知信号受信機２０は、受信感度レベルが−７０［ｄＢｍ］〜−８５［ｄＢｍ］の範囲にある（−７０［ｄＢｍ］より小さく−８５［ｄＢｍ］よりも大きい）場合は、実用上支障のない感度「中」と判定し、レベル表示装置２３のＬＥＤを連続的に２回点灯させる。検知信号受信機２０は、受信感度レベルが−８５［ｄＢｍ］以下の場合は、実用上支障のある感度「弱」と判定し、レベル表示装置２３のＬＥＤを１回だけ点灯させる。
【００４９】
図４において、受信感度表示のタイムチャートは、上述のＬＥＤ点灯のタイミングをそれぞれ示す。このタイムチャートに示すように、障害物検知器４０から発せられた信号のＯＮ−ＯＦＦに対応して、検知信号受信機２０は、その受信感度レベルを測定する。なお、この信号は短時間の間に約１０回程度発信されるものであり、図では、その中で最初に検知信号受信機２０によって検知されたものを表示している。この測定結果、上述のように感度「強」と判定した場合は、ＬＥＤを０．２秒間隔で点灯と消灯を繰り返す３回点滅させ、感度「中」と判定した場合は、ＬＥＤを同じく０．２秒間隔で２回点滅させ、感度「弱」と判定した場合は、ＬＥＤを０．２秒間だけ１回点灯させることになる。なお、この点灯と消灯の時間は一例であり、任意に設定可能である。例えば、感度「強」、「中」及び「弱」の場合における全体の点滅時間を等しくして、感度「強」の場合は１秒間で短く３回点滅させ、「中」の場合はこれよりも長く１秒間で２回点滅させ、「弱」の場合は１秒間ずっと点灯し続けるようにしてもよい。また、点滅は１回だけではなく、所定のインターバルをおいて複数回点滅処理を実行するようにしてもよい。
【００５０】
図５は、検知信号受信機が実行する図４の受信感度別動作仕様及びタイムチャートに対応した受信感度判定処理の一例を示すフローチャート図である。
ステップＳ５０では、障害物検知器４０からの受信感度レベルが−７０ｄＢｍ以上であるか否かを判定し、ｙｅｓの場合はステップＳ５１に進み、ｎｏの場合はステップＳ５２にジャンプする。
ステップＳ５１では、前のステップＳ５０にて受信感度レベルが−７０［ｄＢｍ］以上であると判定されたので、実用に最適な感度「強」であることを報知するためにレベル表示装置２３を３回点滅させる。
【００５１】
ステップＳ５２では、受信感度レベルが−７０［ｄＢｍ］〜−８５［ｄＢｍ］の範囲にあるか（−７０［ｄＢｍ］より小さく−８５［ｄＢｍ］よりも大きい）否かを判定し、ｙｅｓの場合はステップＳ５３に進み、ｎｏの場合はステップＳ５４にジャンプする。
ステップＳ５３では、前のステップＳ５２にて受信感度レベルが所定の範囲内にあると判定されたので、実用上支障のない感度「中」であることを報知するためにレベル表示装置２３を２回点滅させる。
【００５２】
ステップＳ５４では、受信感度レベルが−８５［ｄＢｍ］以下であるか否かを判定し、ｙｅｓの場合はステップＳ５５に進み、ｎｏの場合はリターンする。
ステップＳ５５では、前のステップＳ５４にて受信感度レベルが所定の範囲内にあると判定されたので、実用上支障のある感度「弱」であることを報知するためにレベル表示装置２３を１回だけ点滅させる。
【００５３】
この実施の形態によれば、シャッターカーテンが設置された周辺の環境の変化によって受信信号レベルが変化したとしてもレベル表示装置２３の点滅回数によって電波信号の受信感度レベルを容易に確認することができる。これによってシャッターカーテンの誤動作を未然に防止することができる。
【００５４】
図６は、この実施の形態の変形例を示す図である。上述の実施の形態では、レベル表示装置２３としてＬＥＤ発光素子を用いて、その点滅回数で受信感度レベルを簡易に表示する場合について説明したが、図６に示すように、リモコン操作スイッチ３０の開閉停の各スイッチ３０ａ，３０ｂ、３０ｃの下方に、レベル表示装置２３として液晶パネルから構成される信号受信感度表示部３０ｄを設けるようにしてもよい。この信号受信感度表示部３０ｄは、受信感度レベルの「強」，「中」，「弱」を液晶パネルの三角形状の横バーの大きさで表示している。なお、液晶表示の他にも、例えばレベル表示装置２３として、赤色、緑色及び青色などの多色ＬＥＤを用いるようにしてもよい。スマートフォンなどで使用されているアンテナマークやＷｉＦｉマークを用いて表示してもよい。このようにリモコン操作スイッチ３０に信号受信感度表示部３０ｄを設けることによって、感度状態が手元で容易に確認することができるため極めて見やすく、誤動作防止を迅速に対応することができる。このような液晶パネルを検知信号受信機２０に一体的に設けられるレベル表示装置２３として応用することもできる。また、防火戸５０の上部側面に液晶パネルを設けてもよい。
【００５５】
上述の実施の形態では、上下昇降方式で繰り出されるシャッターカーテンを例に説明したが、シャッター状の開閉部材が横引き方式で繰り出されたり、あるいは水平方式で繰り出されたりするものであっても同様に適用することができる。また、開閉体装置としては、例えば、シャッター装置、窓シャッター装置、ブラインド装置、ロールスクリーン装置、垂れ幕装置、引戸装置、移動間仕切装置、オーニング装置、防水板装置などにも適用可能である。
【符号の説明】
【００５６】
１１…シャッターケース
１２…シャッターカーテン
１３，１４…ガイドレール
１５…モータ
１６…シャッター駆動回路
１７…開閉体制御装置
１８…操作信号受信機
１９…リモコン用アンテナ
２０…検知信号受信機
２１…検知用アンテナ
２２…電波監視制御部
２３…レベル表示装置
３０…リモコン操作スイッチ
３０ｄ…信号受信感度表示部
４０…障害物検知器
５０…非常口扉
６０…注意喚起灯
６１…レベル表示装置
【図１】
0006663654.tif 000002
【図２】
0006663654.tif 000003
【図３】
0006663654.tif 000004
【図４】
0006663654.tif 000005
【図５】
0006663654.tif 000006
【図６】
0006663654.tif 000007